(57)【要約】【課題】制御内容をユーザに分かりやすく提示しつつ、ユーザにとって快適な環境を実現する。【解決手段】計算部１９０２は、部屋の空調に影響を与える複数の影響因子のそれぞれの影響度を計算する。動作モード変更部１９０３は、部屋の中に設置される複数の室内機から一の室内機をローテーションで選択し、選択した室内機の動作モードを、第１動作モードから、第１動作モードより消費電力量が少ない第２動作モードに、変更する。動作モード変更部１９０３は、計算された影響度に基づいて、ローテーションと、複数の室内機のそれぞれの第２動作モードでの動作時間とを決定する。【選択図】図１９
2016011779.tif 000002
【特許請求の範囲】
【請求項１】
部屋の空調に影響を与える複数の影響因子のそれぞれの影響度を計算する計算部と、
前記部屋の中に設置される複数の室内機から一の室内機をローテーションで選択し、選択した室内機の動作モードを第１動作モードから前記第１動作モードより消費電力量が少ない第２動作モードに変更する動作モード変更部と、
を備え、
前記動作モード変更部は、前記計算された影響度に基づいて、前記ローテーションと、前記複数の室内機のそれぞれの前記第２動作モードでの動作時間とを決定する、
空調管理サーバ。
【請求項２】
前記動作モード変更部により決定された前記ローテーション及び前記複数の室内機のそれぞれの動作時間と、前記複数の室内機のそれぞれの目標温度と、のうちの少なくともいずれか一つを変更する指示の入力を受け付ける入力受付部と、
前記指示が受け付けられると、前記指示による変更を適用した場合における前記部屋の中の温度の時間変化を予測する予測部と、
前記予測された温度の時間変化を表示する表示部と、
を更に備える請求項１に記載の空調管理サーバ。
【請求項３】
前記複数の室内機のそれぞれについて、前記室内機の動作モードを前記第１動作モードから前記第２動作モードに変更した場合における、前記複数の室内機のそれぞれによって測定される温度の変動値を予め記憶する変動値記憶部を更に備え、
前記予測部は、前記記憶されている変動値に基づいて、前記複数の室内機のうちのいずれかの動作モードが前記第２動作モードに変更された後における、前記複数の室内機のそれぞれによって測定される温度の時間変化を予測する、
請求項２に記載の空調管理サーバ。
【請求項４】
前記動作モード変更部は、前記記憶されている変動値に基づいて前記影響度を計算する、
請求項３に記載の空調管理サーバ。
【請求項５】
前記動作モード変更部は、前記計算された各影響度の比に基づいて、前記複数の室内機のそれぞれにおける前記第２動作モードでの動作時間を決定する、
請求項４に記載の空調管理サーバ。
【請求項６】
前記動作モード変更部は、前記複数の室内機のそれぞれを前記第１動作モードに設定して前記空調を開始し、予め定められた移行条件が満たされたと判別した後、前記決定した時間の長さと順番とに基づいて、前記複数の室内機のそれぞれを前記第１動作モード又は前記第２動作モードに設定する、
請求項１から５のいずれか１項に記載の空調管理サーバ。
【請求項７】
前記動作モード変更部は、前記選択した室内機によって測定される温度が、目標温度から予め決められた範囲内に初めて達したときに、前記移行条件が満たされたと判別する、
請求項６に記載の空調管理サーバ。
【請求項８】
前記動作モード変更部は、前記複数の室内機を複数のグループに分類し、分類された複数のグループから一のグループをローテーションで選択し、選択したグループに属する全ての室内機の動作モードを前記第１動作モードから前記第２動作モードに変更する、
請求項１から７のいずれか１項に記載の空調管理サーバ。
【請求項９】
前記部屋の中に設置される複数の室内機によって測定された室内温度と、前記複数の室内機の目標温度とを取得する取得部を更に備え、
前記動作モード変更部は、前記取得された室内温度と前記取得された目標温度と前記計算された影響度とに基づいて、前記ローテーションと、前記複数の室内機のそれぞれの前記第２動作モードでの動作時間とを決定する、
請求項１から８のいずれか１項に記載の空調管理サーバ。
【請求項１０】
部屋の空調に影響を与える複数の影響因子のそれぞれの影響度を計算する計算部と、
前記部屋の中に設置される複数の室内機から一の室内機をローテーションで選択し、選択した室内機の動作モードを第１動作モードから前記第１動作モードより消費電力量が少ない第２動作モードに変更する動作モード変更部と、
を備え、
前記動作モード変更部は、前記計算された影響度に基づいて、前記ローテーションと、前記複数の室内機のそれぞれの前記第２動作モードでの動作時間とを決定する、
空調管理システム。
【請求項１１】
部屋の空調に影響を与える複数の影響因子のそれぞれの影響度を計算する計算ステップと、
前記部屋の中に設置される複数の室内機から一の室内機をローテーションで選択し、選択した室内機の動作モードを第１動作モードから前記第１動作モードより消費電力量が少ない第２動作モードに変更する動作モード変更ステップと、
を備え、
前記動作モード変更ステップでは、前記計算された影響度に基づいて、前記ローテーションと、前記複数の室内機のそれぞれの前記第２動作モードでの動作時間とを決定する、
空調管理方法。
【請求項１２】
コンピュータを、
部屋の空調に影響を与える複数の影響因子のそれぞれの影響度を計算する計算部、
前記部屋の中に設置される複数の室内機から一の室内機をローテーションで選択し、選択した室内機の動作モードを第１動作モードから前記第１動作モードより消費電力量が少ない第２動作モードに変更する動作モード変更部、
として機能させ、
前記動作モード変更部は、前記計算された影響度に基づいて、前記ローテーションと、前記複数の室内機のそれぞれの前記第２動作モードでの動作時間とを決定する、
プログラム。
【発明の詳細な説明】
【技術分野】
【０００１】
本発明は、空調管理サーバ、空調管理システム、空調管理方法、及び、プログラムに関する。
【背景技術】
【０００２】
複数の空調機を一括して管理し制御する空調管理システムがある。例えば複数のフロアを有する建物において、各フロアのそれぞれに複数の室内機が設置されており、各室内機の動作状況や室内環境等を管理センターから監視することができる。
【０００３】
例えば、特許文献１には、翌日の負荷予測から複数の熱源機の最適な組み合わせと運転スケジュールを決定するシステムが開示されている。
【０００４】
また、近年、空調の快適さを出来るだけ維持しつつも、消費電力量をなるべく抑える省エネルギー化が推進されている。
【先行技術文献】
【特許文献】
【０００５】
【特許文献１】特開２０１１−００２１１２号公報
【発明の概要】
【発明が解決しようとする課題】
【０００６】
しかしながら、上記従来技術では、空調に影響を及ぼす様々な因子、例えば部屋の窓、部屋の扉、部屋の中に設置される電子機器、人の存在、人の移動等が考慮されておらず、必ずしもユーザにとって快適な環境が実現されるとは限らなかった。また、省エネルギー化を更に推し進めるためには、現在の室内の環境や動作計画等をユーザに分かりやすく提示してユーザが把握し易くなることが望まれる。
【０００７】
本発明は、上述の事情のもとになされたもので、制御内容をユーザに分かりやすく提示しつつ、ユーザにとって快適な環境を実現する空調管理サーバ、空調管理システム、空調管理方法、及び、プログラムを提供することを目的とする。
【課題を解決するための手段】
【０００８】
上記目的を達成するため、本発明に係る空調管理サーバは、
部屋の空調に影響を与える複数の影響因子のそれぞれの影響度を計算する計算部と、
前記部屋の中に設置される複数の室内機から一の室内機をローテーションで選択し、選択した室内機の動作モードを第１動作モードから前記第１動作モードより消費電力量が少ない第２動作モードに変更する動作モード変更部と、
を備え、
前記動作モード変更部は、前記計算された影響度に基づいて、前記ローテーションと、前記複数の室内機のそれぞれの前記第２動作モードでの動作時間とを決定する。
【発明の効果】
【０００９】
制御内容をユーザに分かりやすく提示しつつ、ユーザにとって快適な環境を実現することができる。
【図面の簡単な説明】
【００１０】
【図１】空調管理システムの構成を示す図である。
【図２】空調管理サーバの構成を示す図である。
【図３】部屋のレイアウトの例を示す図である。
【図４】影響因子に対応付けられる重みを示す図である。
【図５】各グループの温度変化を示す図である。
【図６】各グループの温度変化を示す図である。
【図７】省エネルギーモードに設定する時間と順番を示す図である。
【図８】管理画面を示す図である。
【図９】各グループの温度変化を表すグラフを示す図である。
【図１０】目標温度の変更指示を受け付ける管理画面を示す図である。
【図１１】省エネルギーモードに設定する時間の長さと順番の変更指示を受け付ける管理画面を示す図である。
【図１２】省エネルギーモードに設定する順番の変更指示を受け付ける管理画面を示す図である。
【図１３】変動値データテーブルを示す図である。
【図１４】計算された予測温度値の表示例を示す図である。
【図１５】（ａ）変動値データテーブルを示す図である。（ｂ）変動値データテーブルを示す図である。
【図１６】変動値データテーブルを示す図である。
【図１７】シミュレーションの表示例を示す図である。
【図１８】シミュレーションの表示例を示す図である。
【図１９】空調管理システムの機能的な構成を示す図である。
【図２０】空調処理を説明するためのフローチャートである。
【図２１】空調処理を説明するためのフローチャートである。
【発明を実施するための形態】
【００１１】
以下、本発明の実施形態を説明する。
【００１２】
（実施形態１）
図１に、本実施形態の空調管理システム１の構成を示す。空調管理システム１では、空調管理サーバ１００が、建物の中に設置される室内機１２０と、建物の外に設置される室外機１４０とを制御し、建物内の空気の温度、湿度、送風量等を調整することにより、ユーザが快適に過ごすことができる環境を実現する。
【００１３】
空調管理サーバ１００は、Ｎ個（Ｎは１以上の整数）の室内機１２０と、Ｍ個（Ｍは１以上の整数）の室外機１４０とを制御し、建物内の空気の温度等を調整する。
【００１４】
建物の外には、Ｍ個の室外機１４０がある。室外機１４０は、例えば、建物の屋上、窓の外等の各所に、固定して設置される。
【００１５】
室外機１４０は、圧縮機により圧縮した冷媒の還流方向を切り替えて暖房運転のサイクルと冷房運転のサイクルとのいずれかを行い、冷媒を蒸発又は凝縮させて空気と熱交換することにより、暖房又は冷房を行う。
【００１６】
また、建物の中には、Ｎ個の室内機１２０がある。室内機１２０は、例えば、建物の部屋の天井部分に、固定して設置される。
【００１７】
室内機１２０は、パイプの中を冷媒が通過することで、周囲の空気と熱交換し、冷媒を冷却又は加熱する。例えば、冷房時においては、室内機１２０は、冷媒を蒸発させ、熱交換器の周囲の空気から熱を吸収することにより、空気を冷却する。また、暖房時においては、室内機１２０は、冷媒を凝縮させ、熱交換器の周囲の空気に熱を放出することにより、空気を加熱する。
【００１８】
また、室内機１２０は、周囲の空気の温度と湿度を繰り返し測定し、最新の測定結果を空調管理サーバ１００へ送信する。温度と湿度を測定するタイミング、及び、測定結果を送信するタイミングは、任意である。本実施形態では、室内機１２０は、空調管理サーバ１００から測定結果の送信を要求されると、測定結果を空調管理サーバ１００へ送信する。ただし、室内機１２０は、予め決められた時間間隔で（例えば５分ごとに）温度と湿度を測定し、逐次測定結果を空調管理サーバ１００へ送信してもよい。
【００１９】
なお、室内機１２０とは別に、室内の温度と湿度を計測する計測装置を設け、この計測装置が温度と湿度を計測した後、計測結果を空調管理サーバ１００へ送信するようにしてもよい。
【００２０】
室内機１２０と室外機１４０の設置場所は、本発明によって限定されず、例えば、一戸建ての家、住宅やオフィスが入居する建築物、あるいは地下建築物等に設置されてもよい。
【００２１】
本実施形態の空調管理サーバ１００は、通常モードと省エネルギーモードのいずれかで空気調和を行う。省エネルギーモードでは、空調管理サーバ１００は、室内機１２０と室外機１４０の能力を制限し、消費される電力量を少なく抑える。通常モードでは、特段に能力の制限を設けずに、予め決められた運転計画に基づいて、もしくは、ユーザ操作に基づいて、目標温度等を設定して運転する。
【００２２】
通常モードを第１動作モード、省エネルギーモードを第２動作モードともいう。第２動作モードによる消費電力量は、第１動作モードによる消費電力量よりも少ない。
【００２３】
省エネルギーモードでは、空調管理サーバ１００は、すべての室内機１２０と室外機１４０のうち、予め決められたグループに属する室内機１２０と室外機１４０の能力を制限する。能力の制限が開始されてから予め決められた時間が経過すると、空調管理サーバ１００は、他のグループに属する室内機１２０と室外機１４０の能力を制限する。つまり、空調管理サーバ１００は、能力を制限する室内機１２０と室外機１４０をローテーションさせる。
【００２４】
例えば、空調管理サーバ１００は、すべての室内機１２０と室外機１４０を、予め六つのグループに分類する。そして、空調管理サーバ１００は、六つのグループのうち、第１グループに属する室内機１２０と室外機１４０を省エネルギーモードで運転させ、残りの第２グループから第６グループまでに属する室内機１２０と室外機１４０を通常モードで運転させる。
【００２５】
第１グループに属する室内機１２０と室外機１４０を省エネルギーモードに設定してから予め決められた時間が経過すると、空調管理サーバ１００は、第１グループに属する室内機１２０と室外機１４０を省エネルギーモードから通常モードに変更し、且つ、第２グループに属する室内機１２０と室外機１４０を通常モードから省エネルギーモードに変更する。
【００２６】
第２グループに属する室内機１２０と室外機１４０を省エネルギーモードに設定してから予め決められた時間が経過すると、空調管理サーバ１００は、第２グループに属する室内機１２０と室外機１４０を省エネルギーモードから通常モードに変更し、且つ、第３グループに属する室内機１２０と室外機１４０を通常モードから省エネルギーモードに変更する。
【００２７】
第２グループに属する室内機１２０と室外機１４０を省エネルギーモードに設定する時間の長さは、第１グループに属する室内機１２０と室外機１４０を省エネルギーモードに設定する時間の長さと異なる場合がある。本実施形態の空調管理サーバ１００は、グループごとに異なる時間の長さを設定することができる。
【００２８】
同様にして、空調管理サーバ１００は、省エネルギーモードに設定するグループを順々に変更していく。例えば、省エネルギーモードに設定されるグループは、第１グループ、第２グループ、第３グループ、第４グループ、第５グループ、第６グループと変更されていき、第６グループからまた第１グループに戻る。つまり、省エネルギーモードに設定される室内機１２０及び室外機１４０がローテーションされる。
【００２９】
グループの数は任意である。また、一つのグループに属する室内機１２０の数、及び、一つのグループに属する室外機１４０の数は、任意である。
【００３０】
グループに室外機１４０を含めず、室内機１２０のみグループに含めるようにしてもよい。
【００３１】
すべての室内機１２０と室外機１４０が全く同一の条件の下で運転されると仮定すれば、省エネルギーモードに設定する時間の長さは、グループにかかわらず、同じにしてもよいかもしれない。しかし、一般には、室内機１２０が設置される部屋の大きさ、室内機１２０が設置される場所（例えば窓際か廊下の近くか）、室内機１２０の性能、室内機１２０周辺の環境（例えば常時稼働するコンピュータがいくつあるか）等に違いがあるため、すべてのグループを均等に制御しただけでは、室内の温度分布に好ましくないムラが出来たり、省エネルギーの効果が小さくなったりするおそれがある。そこで、本実施形態の空調管理システム１では、室内機１２０と室外機１４０の動作環境の違いを考慮し、省エネルギーモードに設定する時間の長さを最適化したり、省エネルギーモードに設定するグループの順番を最適化したりする。詳しくは後述する。
【００３２】
次に、空調管理サーバ１００の構成について、図２を用いて説明する。
【００３３】
通信部２０１は、ＮＩＣ（Network Interface Card）を備え、各室内機１２０及び各室外機１４０と通信する。
【００３４】
画像処理部２０２は、ディスプレイ２５１に表示する画面を生成し、表示する。例えば、画像処理部２０２は、室内機１２０が設置された部屋の中の現在の温度や、省エネルギーモードの実施状況等を、ユーザに分かりやすくディスプレイ２５１に表示する。
【００３５】
音声処理部２０３は、記憶部２０６から音声データを取得し、再生し、音声をスピーカ２５２から出力する。
【００３６】
Ｉ／Ｏ部２０４は、ＵＳＢ（Universal Serial Bus）等のインタフェースを備え、メモリカード、外付けハードディスク等を空調管理サーバ１００に接続する。
【００３７】
入力部２０５は、ボタンやタッチパネル等、ユーザ（本実施形態では、主に空調管理システム１の管理者）から指示を受け付ける入力デバイスを備える。本実施形態では、ディスプレイ２５１の表示領域に重畳してタッチパネルが配置される、いわゆるタッチスクリーンが用いられる。
【００３８】
記憶部２０６は、ハードディスク等の記憶装置を備え、空調管理サーバ１００を制御する各種のプログラム、室内機１２０によって測定された温度と湿度を表す環境データ、オペレーティングシステム（ＯＳ）、画像データ、音声データ、テキストデータ等を記憶する。
【００３９】
制御部２０７は、ＣＰＵ、ＲＯＭ、ＲＡＭを備え、空調管理サーバ１００全体を制御する。また、制御部２０７は、室内機１２０又は計測装置（図示せず）によって計測された室温等の計測結果を表すデータを取得する。
【００４０】
空調管理サーバ１００として、一般的なコンピュータ、メインフレーム、クラウド型サーバなどを用いることができる。
【００４１】
次に、空調管理サーバ１００が行う処理の詳細について説明する。
【００４２】
（省エネルギーモードのローテーション）
空調管理サーバ１００は、消費電力量を抑えつつ、部屋の中の温度をなるべく均一に保つために、すべての室内機１２０について消費電力量を抑える省エネルギーモードに同時に設定するのではなく、一部の室内機１２０を省エネルギーモードに設定し、残りの室内機１２０を通常モードに設定し、決められた順序に従って、省エネルギーモードに設定する室内機１２０を順次交代させる。この省エネルギーモードのローテーションにより、快適さと省コストとを両立させる。
【００４３】
図３に、空気調和の対象となる部屋を真上から見たレイアウトを示す。このレイアウト図は、例えばオフィスビルディングの一つのフロア全体を、簡略化して表したものである。
【００４４】
室内機１２０（図３では、室内機１２０−１から室内機１２０−２４まで、合計２４個ある。）は、予め六つのグループに分けられる。一つの室内機１２０は、一つのグループに属する。一つの室内機１２０が同時に複数のグループに属することはない。
【００４５】
本実施形態では、空気調和の対象となる部屋には、第１グループ３０１に属する四つの室内機１２０−１，１２０−２，１２０−３，１２０−４と、第２グループ３０２に属する四つの室内機１２０−５，１２０−６，１２０−７，１２０−８と、第３グループ３０３に属する四つの室内機１２０−９，１２０−１０，１２０−１１，１２０−１２と、第４グループ３０４に属する四つの室内機１２０−１３，１２０−１４，１２０−１５，１２０−１６と、第５グループ３０５に属する四つの室内機１２０−１７，１２０−１８，１２０−１９，１２０−２０と、第６グループ３０６に属する四つの室内機１２０−２１，１２０−２２，１２０−２３，１２０−２４と、が設置される。
【００４６】
制御部２０７は、室内機１２０をグループ分けし、グループとそのグループに属する室内機１２０とを対応付けたグループ情報を記憶部２０６に記憶する。
【００４７】
制御部２０７は、グループ情報を作成、更新、削除する指示入力をユーザから受け付け、入力された内容に基づいてグループ情報を記憶部２０６に記憶してもよい。
【００４８】
なお、制御部２０７は、室内機１２０をグループ分けせず、室内機１２０の一つ一つを個別に制御することとしてもよい。この場合、一つのグループに一つの室内機１２０のみが属するとみなせばよい。
【００４９】
部屋には、日光が透過可能なガラスの窓３７０がある。例えば、夏の冷房時において、窓３７０から日光が部屋に入ると、窓３７０の近くの空気が暖められ、冷房による温度低下の効果が減る可能性がある。あるいは、窓３７０が開かれたり隙間があったりすると、外の暖かい空気が部屋に入り、冷房による温度低下の効果が減る可能性がある。また、冬の暖房時において、窓３７０が開かれたり隙間があったりすると、窓３７０の近くの空気が冷やされ、暖房による温度上昇の効果が減る可能性がある。窓３７０の位置、数、大きさ等は、部屋の空調の効果に影響を与える因子（以下「影響因子」という。）の一つとなり得る。
【００５０】
また、この部屋には、廊下へと繋がる開閉可能な扉３８０がある。例えば、夏の冷房時において、扉３８０が開かれたり隙間があったりすると、外の暖かい空気が部屋に入り、冷房による温度低下の効果が減る可能性がある。また、冬の暖房時において、扉３８０が開かれたり隙間があったりすると、外の冷たい空気が部屋に入り、暖房による温度上昇の効果が減る可能性がある。扉３８０の位置、数、大きさ等は、影響因子の一つとなり得る。
【００５１】
更に、この部屋の中には、発熱源となり得る電子機器３９０がある。具体的には、電子機器３９０は、サーバ、パーソナルコンピュータ、プリンタ、コピー機、等である。電子機器３９０が動作することにより発せられる熱によって、周囲の空気が暖められ、冷房による温度低下の効果が減る可能性がある。電子機器３９０の種類、位置、数、大きさ等は、影響因子の一つとなり得る。
【００５２】
以上のほか、図３には記載されていないが、照明機器や人間も発熱源となり得る。窓３７０と扉３８０と電子機器３９０の代わりに、あるいは、窓３７０と扉３８０と電子機器３９０に加えて、照明機器の位置や数、人の配置や数、人の流れを影響因子として扱ってもよい。
【００５３】
空調管理サーバ１００の制御部２０７は、窓３７０、扉３８０、電子機器３９０といった、空調の効果に影響を与える様々な影響因子を考慮して、すべての室内機１２０のうち省エネルギーモードに設定する室内機１２０を決定する。そして、制御部２０７は、決定した室内機１２０を省エネルギーモードで動作させ、他の室内機１２０を通常モードで動作させる。本実施形態では、制御部２０７は、グループ単位で、省エネルギーモードと通常モードとを切り替える。
【００５４】
具体的には、制御部２０７は、それぞれの影響因子について、空調に与える影響度を数値化して表す。
【００５５】
まず、制御部２０７は、窓３７０による空調への影響を数値化する。例えば、制御部２０７は、窓３７０に隣接するグループに重みＧＷ＝１を設定し、窓３７０と直接的には接していないが他の一つのグループを挟んで接しているグループに重みＧＷ＝３を設定し、窓３７０に直接的にも接しておらず窓３７０との間に二つ以上の他のグループを挟むグループに重みＧＷ＝５を設定する。重みＧＷは、空調の効率の良さを表すと言える。重みＧＷが大きいほど、空調の効率が良い。
【００５６】
ただし、重みＧＷに設定される値は任意である。制御部２０７は、窓３７０に隣接するグループの重みＧＷに第１の値を、窓３７０に隣接していないグループの重みＧＷに第１の値より大きい第２の値を、それぞれ設定することにより、二段階で評価してもよい。三段階以上でもよい。
【００５７】
制御部２０７は、窓３７０の大きさ、材質、構造等を考慮して更に細分化した値を重みＧＷに設定してもよい。
【００５８】
制御部２０７は、重みＧＷに設定する値の入力をユーザから受け付け、ユーザからの入力に基づいて、重みＧＷを設定してもよい。
【００５９】
また、制御部２０７は、扉３８０による空調への影響を数値化する。例えば、制御部２０７は、扉３８０に隣接するグループに重みＧＤ＝１を設定し、窓３７０と隣接していないグループに重みＧＤ＝２を設定する。重みＧＤは、空調の効率の良さを表すと言える。重みＧDが大きいほど、空調の効率が良い。
【００６０】
ただし、重みＧＤに設定される値は任意である。制御部２０７は、扉３８０に隣接するグループの重みＧＤに第１の値を設定し、扉３８０に隣接していないが他の一つのグループを挟んで接しているグループの重みＧＤに第１の値より大きい第２の値を設定し、扉３８０に直接的にも接しておらず扉３８０との間に二つ以上の他のグループを挟むグループの重みＧＤに第２の値より大きい第３の値を設定することにより、三段階で評価してもよい。四段階以上でもよい。
【００６１】
制御部２０７は、扉３８０の大きさ、材質、構造等を考慮して更に細分化した値を重みＧＤに設定してもよい。
【００６２】
制御部２０７は、重みＧＤに設定する値の入力をユーザから受け付け、ユーザからの入力に基づいて、重みＧＤを決定してもよい。
【００６３】
また、制御部２０７は、電子機器３９０による空調への影響を数値化する。例えば、制御部２０７は、電子機器３９０に隣接するグループに重みＧE＝０を設定し、電子機器３９０と隣接していないグループに重みＧE＝３を設定する。重みＧEは、空調の効率の良さを表すと言える。重みＧEが大きいほど、空調の効率が良い。
【００６４】
ただし、重みＧEに設定される値は任意である。制御部２０７は、電子機器３９０に隣接するグループの重みＧEに第１の値を設定し、電子機器３９０に隣接していないが他の一つのグループを挟んで接しているグループの重みＧEに第１の値より大きい第２の値を設定し、電子機器３９０に直接的にも接しておらず電子機器３９０との間に二つ以上の他のグループを挟むグループの重みＧEに第２の値より大きい第３の値を設定することにより、三段階で評価してもよい。四段階以上でもよい。
【００６５】
制御部２０７は、電子機器３９０の種類、数、大きさ等を考慮して更に細分化した値を重みＧEに設定してもよい。
【００６６】
図４に、重みＧＷ，ＧＤ，ＧEに設定される値の具体例を示す。窓３７０と扉３８０と電子機器３９０のほかに、例えば照明機器等の他の影響因子を考慮する場合、制御部２０７は、その他の影響因子に基づく重みを同様に設定する。制御部２０７は、影響因子と重みとを対応付けた重み情報を記憶部２０６に記憶する。
【００６７】
制御部２０７は、グループごとに、重みＧＷ，ＧＤ，ＧEの合計値ＧＡＬＬを計算する。そして、制御部２０７は、第１グループ３０１の重みの合計値ＧＡＬＬを基準として、各グループの重みの合計値ＧＡＬＬを規格化する。
【００６８】
ただし、制御部２０７は、第１グループ３０１の代わりに他の任意のグループの重みの合計値を基準として規格化してもよい。
【００６９】
規格化された重みの合計値の比Ｒは、省エネルギーモードに設定する時間の長さの比となる。
【００７０】
つまり、図４に示すケースでは、第２グループ３０２を省エネルギーモードに設定する時間の長さは、第１グループ３０１を省エネルギーモードに設定する時間の長さの０．６７倍となる。第１グループ３０１を省エネルギーモードに設定する時間の長さを１００分とするならば、第２グループ３０２を省エネルギーモードに設定する時間の長さを６７分にする、ということを意味する。
【００７１】
同様に、第３グループ３０３を省エネルギーモードに設定する時間の長さは第１グループ３０１の１．３４倍、第４グループ３０４を省エネルギーモードに設定する時間の長さは第１グループ３０１の１．１７倍、第５グループ３０５を省エネルギーモードに設定する時間の長さは第１グループ３０１の１．１７倍、第６グループ３０６を省エネルギーモードに設定する時間の長さは第１グループ３０１の１．５０倍となる。
【００７２】
このように、部屋の中の温度をなるべく均一に保ちつつ、省エネルギー効果を高めるために、空調管理サーバ１００は、各グループ内の室内機１２０を省エネルギーモードに設定する時間の長さを、計算した比Ｒに基づいて決定する。
【００７３】
次に、制御部２０７は、各室内機１２０を省エネルギーモードに設定する順番、言い換えればローテーションを決定する。
【００７４】
なお、以下の説明において、第１グループ３０１を省エネルギーモードに設定する順番を一番目に設定しているが、一番目のグループは第１グループ３０１でなくてもよい。例えば、制御部２０７は、図４に示すように計算した重みの合計値ＧＡＬＬが最も小さいグループを、一番目のグループに選択してもよい。あるいは、制御部２０７は、一番目のグループとして、計算した重みの合計値ＧＡＬＬが最も大きいグループを選択したり、ランダムに選択したりしてもよい。
【００７５】
制御部２０７は、グループのそれぞれについて、ある一つのグループに属する室内機１２０を通常モードから省エネルギーモードに変更した場合に他のグループに及ぼす影響の大きさを計算する。
【００７６】
例えば図５に示すように、制御部２０７は、第１グループ３０１から第６グループ３０６までのすべてに含まれる室内機１２０を通常モード且つ同一条件に設定して十分な時間が経過した均衡状態から、第１グループ３０１に属する室内機１２０のみを通常モードから省エネルギーモードに変更して十分な時間が経過した均衡状態までの、温度変化の実測値を取得する。
【００７７】
この温度変化の実測値は、典型的には、予め行われる測定テストによって得られる。測定テストの期間中、窓３７０の開閉、扉３８０の開閉、電子機器３９０による発熱量の変化が無い、もしくは、変化量が予め決められた範囲内であってほとんど無いものとする。
【００７８】
図５は、冷房時の室内温度の変化を表す。冷房時において、省エネルギーモードに設定されると、室内機１２０の目標温度は、通常モード時における目標温度よりも高めに設定される。例えば、通常モードの目標温度が摂氏２６度であれば、省エネルギーモードの目標温度は２度高い摂氏２８度に変更される。目標温度の具体的な値は任意である。
【００７９】
本実施形態では、制御部２０７は、目標温度を変更することにより通常モードと省エネルギーモードとを切り替えている。しかし、通常モードから省エネルギーモードへの変更は、目標温度の変更によるものに限られない。例えば、室内機１２０による消費電力量を通常モードでの第１の消費電力量よりも少ない第２の消費電力量に変更すること、風量を抑えること等により行われてもよい。
【００８０】
あるいは、制御部２０７は、室内機１２０を省エネルギーモードに設定する代わりに、室内機１２０の運転を停止してもよい。
【００８１】
以下の説明において、第１グループ３０１の温度とは、第１グループ３０１に属するすべての室内機１２０−１，１２０−２，１２０−３，１２０−４によって測定された室温の平均値である。第２グループ３０２の温度とは、第２グループ３０２に属するすべての室内機１２０−５，１２０−６，１２０−７，１２０−８によって測定された室温の平均値である。第３グループ３０３の温度とは、第３グループ３０３に属するすべての室内機１２０−９，１２０−１０，１２０−１１，１２０−１２によって測定された室温の平均値である。第４グループ３０４の温度とは、第４グループ３０４に属するすべての室内機１２０−１３，１２０−１４，１２０−１５，１２０−１６によって測定された室温の平均値である。第５グループ３０５の温度とは、第５グループ３０５に属するすべての室内機１２０−１７，１２０−１８，１２０−１９，１２０−２０によって測定された室温の平均値である。第６グループ３０６の温度とは、第６グループ３０６に属するすべての室内機１２０−２１，１２０−２２，１２０−２３，１２０−２４によって測定された室温の平均値である。
【００８２】
平均値の代わりに、最大値、最小値、最頻値、中央値などを、グループの温度として扱ってもよい。
【００８３】
すべてのグループに含まれるすべての室内機１２０が通常モードに設定されているときに、時刻ＴＡに第１グループ３０１に含まれる室内機１２０のみが省エネルギーモードに変更されると、図５に示すように、第１グループ３０１の温度（つまり第１グループ３０１に属する室内機１２０−１，１２０−２，１２０−３，１２０−４によって測定された室温の平均値）は徐々に上昇し、十分に時間が経過した均衡状態の時刻ＴＢにおいて一定となる。
【００８４】
すべての室内機１２０は空調の対象となる同じ部屋の中に設置されており、空気は部屋の中で対流するので、あるグループが省エネルギーモードに変更された影響は、その大小を問わず、他のグループにまで及ぶ。
【００８５】
例えば、第１グループ３０１に含まれる室内機１２０が省エネルギーモードに設定され、第１グループ３０１の温度がＸ１からＸ２に徐々に変化していくと、第１グループ３０１に隣接する第２グループ３０２の温度も徐々に上昇し、十分に時間が経過した均衡状態において、温度Ｘ３（Ｘ１＜Ｘ３＜Ｘ２）へと収束する。
【００８６】
また、第３グループ３０３の温度も徐々に上昇し、十分に時間が経過した均衡状態において、温度Ｘ４（Ｘ１＜Ｘ４＜Ｘ２）へと収束する。
【００８７】
同様に、第４グループ３０４と第５グループ３０５と第６グループ３０６の温度も、大きさに差はあるものの、徐々に上昇し、十分に時間が経過した均衡状態において、それぞれ温度Ｘ５，Ｘ６，Ｘ７へと収束する。
【００８８】
一般に、グループ間の距離が短いほど影響は大きい傾向にあると推測されるが、実際には、部屋の構造、発熱源の有無、人の配置、人の移動等によって、必ずしも距離のみに依存するわけではない。したがって、本実施形態のように、実測値をもとに影響度を計ることが望ましい。
【００８９】
制御部２０７は、動作モードの変更前後における室内の温度の変化量を予測し、室温の変化量が大きいほど、動作モードの変更による影響が大きいと予測する。
【００９０】
より詳細には、制御部２０７は、
・第１グループ３０１の温度の変化量ΔＶ１  ＝  ＡＢＳ（Ｘ２−Ｘ１）
・第２グループ３０２の温度の変化量ΔＶ２  ＝  ＡＢＳ（Ｘ３−Ｘ１）
・第３グループ３０３の温度の変化量ΔＶ３  ＝  ＡＢＳ（Ｘ４−Ｘ１）
・第４グループ３０４の温度の変化量ΔＶ４  ＝  ＡＢＳ（Ｘ５−Ｘ１）
・第５グループ３０５の温度の変化量ΔＶ５  ＝  ＡＢＳ（Ｘ６−Ｘ１）
・第６グループ３０６の温度の変化量ΔＶ６  ＝  ＡＢＳ（Ｘ７−Ｘ１）
をそれぞれ計算する。関数ＡＢＳ（ｘ）は、パラメータ“ｘ”の絶対値を表す。
【００９１】
そして、制御部２０７は、第１グループ３０１を除く、ΔＶ２，ΔＶ３，ΔＶ４，ΔＶ５，ΔＶ６のうちの最小値に対応するグループを、次に省エネルギーモードに設定するグループに決定する。つまり、一番目のグループが省エネルギーモードに設定されることによる影響が最も小さいと推定されるグループが、二番目に省エネルギーモードに設定されるグループとなる。
【００９２】
同様にして、三番目以降に省エネルギーモードに設定されるグループが決まる。
【００９３】
例えば、三番目に省エネルギーモードに設定されるグループが第６グループ３０６であったとすると、制御部２０７は、図６に示すように、第１グループ３０１から第６グループ３０６までのすべてに含まれる室内機１２０を通常モード且つ同一条件に設定して十分な時間が経過した均衡状態から、第６グループ３０６のみに属する室内機１２０を通常モードから省エネルギーモードに変更して十分な時間が経過した均衡状態までの、温度変化の実測値を取得する。この温度変化の実測値は、典型的には、予め行われた測定テストによって得られる。
【００９４】
第６グループ３０６の温度がＸ１１からＸ１２に徐々に変化していくと、第６グループ３０６に隣接する第５グループ３０５の温度は徐々に上昇し、十分に時間が経過した均衡状態において、温度Ｘ１７（Ｘ１１＜Ｘ１７＜Ｘ１２）へと収束する。
【００９５】
同様に、第１グループ３０１と第２グループ３０２と第３グループ３０３と第４グループ３０４の温度も、大きさに差はあるものの、徐々に上昇し、十分に時間が経過した均衡状態において、それぞれ温度Ｘ１３，Ｘ１４，Ｘ１５，Ｘ１６へと収束する。
【００９６】
制御部２０７は、動作モードの変更前後における室内の温度の変化量を予測し、室温の変化量が大きいほど、動作モードの変更による影響が大きいと予測する。
【００９７】
制御部２０７は、
・第１グループ３０１の温度の変化量ΔＶ１  ＝  ＡＢＳ（Ｘ１３−Ｘ１１）
・第２グループ３０２の温度の変化量ΔＶ２  ＝  ＡＢＳ（Ｘ１４−Ｘ１１）
・第３グループ３０３の温度の変化量ΔＶ３  ＝  ＡＢＳ（Ｘ１５−Ｘ１１）
・第４グループ３０４の温度の変化量ΔＶ４  ＝  ＡＢＳ（Ｘ１６−Ｘ１１）
・第５グループ３０５の温度の変化量ΔＶ５  ＝  ＡＢＳ（Ｘ１７−Ｘ１１）
・第６グループ３０６の温度の変化量ΔＶ６  ＝  ＡＢＳ（Ｘ１２−Ｘ１１）
をそれぞれ計算する。
【００９８】
そして、制御部２０７は、まだ省エネルギーモードに設定されたことが無く、且つ、温度の変化量が最も小さいグループを、次に省エネルギーモードに設定するグループに決定する。
【００９９】
例えば、温度の変化量が最も小さいグループが第１グループ３０１であっても、第１グループ３０１は、最初に省エネルギーモードに設定されているので除外され、その代わりに、二番目に温度の変化量が小さいグループ（例えば第２グループ３０２）が選択される。こうして、三番目に省エネルギーモードに設定されるグループが決まる。
【０１００】
同様にして、四番目、五番目、六番目のグループが決まる。以上の結果、省エネルギーモードに設定される順番が決まる。
【０１０１】
省エネルギーモードに設定される時間の長さと、省エネルギーモードに設定される順番が決まれば、省エネルギーモードのローテーションが決定される。
【０１０２】
図７に、決定されたローテーションを含むローテーション情報の例を示す。ローテーション情報は、制御部２０７によって生成され、記憶部２０６に記憶される。第１グループ３０１が１００分間、省エネルギーモードに設定された後、第１グループ３０１が通常モードになる代わりに、第６グループ３０６が１５０分間、省エネルギーモードに設定される。以下、順に、第２グループ３０２が６７分間、第５グループ３０５が１１７分間、第３グループ３０３が１３４分間、第４グループ３０４が１１７分間、省エネルギーモードに設定される。一巡すると、再び一番目に戻り、第１グループ３０１が１００分間、省エネルギーモードに設定される。以降、同じことが繰り返される。
【０１０３】
（省エネルギー制御の見える化）
次に、空調管理システム１によって表示される画面について説明する。空調管理サーバ１００は、各室内機１２０と各室外機１４０の現在の動作状態等を、ユーザが直感的に把握し易い形態で表示する。
【０１０４】
図８に、ディスプレイ２５１に表示される管理画面の構成例を示す。制御部２０７は、グループのそれぞれについて、グループを表す枠８０１〜８０６の中に、現在の稼働状態（稼働中か停止中か）と、測定された現在の温度とを表示する。
【０１０５】
制御部２０７は、省エネルギーモードに設定されていることを示す画像８１０を、省エネルギーモードに設定されているグループに対応付けて表示する。
【０１０６】
制御部２０７は、省エネルギーモードに設定した時刻と現在時刻とから、既に省エネルギーモードで運転した時間の長さを計算する。更に、制御部２０７は、上記のように計算された省エネルギーモードに設定される時間の長さから、既に省エネルギーモードで運転した時間の長さを差し引いて、省エネルギーモードに設定される残り時間を計算する。そして、制御部２０７は、計算した残り時間を表示する。制御部２０７は、残り時間を、画像８１０の中に表示してもよいし、画像８１０とは独立して、省エネルギーモードに設定されているグループに対応付けて表示してもよい。
【０１０７】
制御部２０７は、決定した省エネルギーモードに設定される順番に基づいて、次に省エネルギーモードに設定するグループを判別し、判別したグループに対応付けて、次に省エネルギーモードに設定することを表す画像８２０を表示する。
【０１０８】
また、制御部２０７は、グループのそれぞれについて、予め決められた直近の対象期間（例えば、１０分前から現在までの１０分間等）における温度変化の傾向を表すマーク８３０，８４０，８５０，８６０を表示する。
【０１０９】
例えば、対象期間における温度変化量が第１のしきい値未満であれば、制御部２０７は、第１のマーク８３０を表示する。対象期間における温度変化量が第１のしきい値以上第２のしきい値未満で且つ上昇傾向であれば、制御部２０７は、第２のマーク８４０を表示する。対象期間における温度変化量が第２のしきい値以上第３のしきい値未満で且つ上昇傾向であれば、制御部２０７は、第３のマーク８５０を表示する。対象期間における温度変化量が第３のしきい値以上で且つ上昇中であれば、制御部２０７は、第４のマーク８６０を表示する。これにより、同じく温度が上昇傾向であっても、ユーザは、その上昇の度合いの違いを一目で把握できる。
【０１１０】
温度が下降傾向にある場合も同様に、制御部２０７は、複数段階に分けて、ユーザにとって変化量の違いが識別可能なマーク（図示せず）を表示する。
【０１１１】
なお、制御部２０７は、第１の時刻に測定された温度が、第１の時刻より予め決められた時間だけ前（例えば５分前）の第２の時刻に測定された温度よりも高ければ、温度が上昇傾向にあると判別する。制御部２０７は、第１の時刻に測定された温度が、第２の時刻に測定された温度よりも低ければ、温度が下降傾向にあると判別する。
【０１１２】
マーク８３０，８４０，８５０，８６０の大きさ、形状、色、デザイン等は本発明によって限定されない。また、マーク８３０，８４０，８５０，８６０は、静止画像でもよいし、動画像（アニメーション）でもよい。
【０１１３】
制御部２０７は、温度変化の傾向を表す各マーク８３０，８４０，８５０，８６０の代わりに、もしくは各マーク８３０，８４０，８５０，８６０に加えて、部屋の目標温度と測定された温度との差を計算し、その差の大きさを表す画像を表示してもよい。
【０１１４】
枠８０１〜８０６が表示される領域のいずれかがユーザによって選択されると、制御部２０７は、図９に示すように、選択された枠に対応するグループを強調表示しつつ、それぞれのグループの温度変化を表すグラフを表示する。図９では、第１グループ３０１が選択され、強調表示されている。
【０１１５】
本実施形態では、タッチスクリーンの全表示領域のうち、枠８０１〜８０６が表示される領域のいずれかがユーザによってタッチされると、制御部２０７は、タッチされた領域に対応するグループを選択する。
【０１１６】
選択されたグループの強調表示の仕方は任意であるが、典型的には、選択されたグループを、四角形等の図形で囲む、相対的に目立つ色にする、太字にする、点滅させる、等の手法がある。
【０１１７】
本実施形態では、制御部２０７は、グループが選択された時点から遡って予め決められた期間内における温度変化を表す折れ線グラフを表示する。例えば、グループが選択された時刻が午前１０時００分であって、予め決められた期間が「直近の一時間」であるならば、制御部２０７は、午前９時００分から午前１０時００分までの過去一時間における温度変化が表示される。
【０１１８】
なお、制御部２０７は、温度変化を表すグラフをリアルタイムで随時更新しながら表示してもよい。
【０１１９】
制御部２０７は、温度変化のグラフのうち、省エネルギーモードに設定された期間に対応する部分をユーザが識別可能に表示することが望ましい。
【０１２０】
また、制御部２０７は、グラフによる表示の代わりに、もしくはグラフによる表示に加えて、測定された温度をプロットしたり、測定された温度の一覧表を表示したりしてもよい。あるいは、制御部２０７は、測定された温度の経時変化を、最小自乗法等により近似した曲線によって表示してもよい。
【０１２１】
（ユーザによる設定変更）
空調管理システム１は、部屋の中の温度をなるべく均一になるように制御するほか、ユーザによる目標温度等の変更指示を受け付け、変更指示に従って空調を制御することができる。部屋の中の温度を均一に制御している間、ユーザから変更指示を受け付けると、空調管理システム１は、ユーザからの変更指示を優先して空調を制御する。
【０１２２】
図１０に、ユーザから目標温度を変更する指示を受け付けるボタン１０２０（図１０では１０２０Ａ，１０２０Ｂ，１０２０Ｃ，１０２０Ｄ，１０２０Ｅ，１０２０Ｆの六つ）を有する管理画面の例を示す。ユーザは、ボタン１０２０を操作することにより、目標温度を上げたり下げたりすることができる。あるグループに対応するボタン１０２０が操作されて目標温度を変更する指示が入力されると、制御部２０７は、操作されたボタン１０２０に対応するグループに属する室内機１２０の目標温度を、入力された目標温度に変更して、室内機１２０を運転させる。
【０１２３】
制御部２０７は、ボタン１０２０のほかに、運転モード（本実施形態では、暖房モード、冷房モード、除湿モード、送風モードの四種類）を変更する指示を受け付けるボタン、運転の停止又は運転の開始の指示を受け付けるボタン等を表示し、ユーザからこれらの指示を受け付け、受け付けた指示に基づいて室内機１２０を制御してもよい。
【０１２４】
制御部２０７は、上述のように決定した、省エネルギーモードに設定する順番、及び／又は、省エネルギーモードに設定する時間の長さを、ユーザからの指示に基づいて変更することができる。
【０１２５】
制御部２０７は、省エネルギーモードに設定する順番、及び／又は、省エネルギーモードに設定する時間の長さを変更する画面に遷移させるボタン１０４０を表示する。ボタン１０４０が操作されると、制御部２０７は、図１１に示す管理画面に遷移させる。
【０１２６】
制御部２０７は、グループのそれぞれについて、決定した省エネルギーモードに設定する順番を表す画像１１２０（図１１では１１２０Ａ，１１２０Ｂ，１１２０Ｃ，１１２０Ｄ，１１２０Ｅ，１１２０Ｆの六つ）を、グループと対応付けて表示する。画像１１２０の大きさ、色、形状、デザイン等は任意であり、省エネルギーモードに設定する順番をユーザが視認できるものであればよい。
【０１２７】
画像１１２０がユーザによって操作される（典型的には、画像１１２０がタッチされる）と、制御部２０７は、省エネルギーモードに設定する順番を変更する。
【０１２８】
例えば、制御部２０７は、画像１１２０が一回タッチされると、制御部２０７は、図１２に示すように、順番の入力を受け付ける画面に遷移させ、順番の入力をユーザから受け付ける。
【０１２９】
一番目を指定する入力を受け付けると、次に、制御部２０７は、二番目に指定する入力を受け付ける画面（図示せず）に遷移し、入力を受け付ける。同様にして、すべての順番を指定する入力を受け付ける。制御部２０７は、ユーザから指定された順番を、省エネルギーモードに設定する順番とする。
【０１３０】
また、制御部２０７は、グループのそれぞれについて、決定した省エネルギーモードに設定する時間の長さを表す画像１１３０（図１１では１１３０Ａ，１１３０Ｂ，１１３０Ｃ，１１３０Ｄ，１１３０Ｅ，１１３０Ｆの六つ）を、グループと対応付けて表示する。画像１１３０の大きさ、色、形状、デザイン等は任意であり、省エネルギーモードに設定する時間の長さをユーザが視認できるものであればよい。
【０１３１】
また、制御部２０７は、グループのそれぞれについて、決定した省エネルギーモードに設定する時間の長さを変更する指示を受け付けるボタン１１４０（図１１では１１４０Ａ，１１４０Ｂ，１１４０Ｃ，１１４０Ｄ，１１４０Ｅ，１１４０Ｆの六つ）を、グループと対応付けて表示する。
【０１３２】
ボタン１１４０がユーザによって操作されると、制御部２０７は、省エネルギーモードに設定する時間の長さを増加又は減少させる。
【０１３３】
（空調のシミュレーション、その１）
目標温度、省エネルギーモードに設定する時間の長さ、省エネルギーモードに設定する順番を変更する指示がユーザから入力されると、制御部２０７は、変更により予想される影響を試算する。
【０１３４】
まず、目標温度が変更された場合における空調のシミュレーションについて説明する。
【０１３５】
あるグループの目標温度（より正確には、あるグループに属する室内機１２０の目標温度）が変更されると、制御部２０７は、そのグループの現在の温度と、指定された目標温度との差を計算する。
【０１３６】
制御部２０７は、記憶部２０６に記憶されている変動値データの中から、そのグループの目標温度が変更された場合における、各グループの温度の変動値を取得する。
【０１３７】
例えば、図１３に示すように、記憶部２０６には、第１グループ３０１の目標温度が変更された場合における、各グループの温度の変動値を格納する変動値データテーブル１３００が予め記憶される。この変動値は、すべての室内機１２０に同じ目標温度が設定されてから十分な時間が経過した均衡状態において、第１グループ３０１の目標温度が変更された場合に変動する温度の実測値である。例えば、冷房時に第１グループ３０１の目標温度が２度高められた場合（＋２）、第１グループ３０１の温度が１．５度上昇し、第２グループ３０２の温度が１．１度上昇し、第３グループ３０３の温度が１．０度上昇し、第４グループ３０４の温度が０．７度上昇し、第５グループ３０５の温度が０．６度上昇し、第６グループ３０６の温度が０．３度上昇することを示している。
【０１３８】
同様に、記憶部２０６には、第２グループ３０２の目標温度が変更された場合における、各グループの温度の変動値を対応付けた変動値データテーブルと、第３グループ３０３の目標温度が変更された場合における、各グループの温度の変動値を対応付けた変動値データテーブルと、第４グループ３０４の目標温度が変更された場合における、各グループの温度の変動値を対応付けた変動値データテーブルと、第５グループ３０５の目標温度が変更された場合における、各グループの温度の変動値を対応付けた変動値データテーブルと、第６グループ３０６の目標温度が変更された場合における、各グループの温度の変動値を対応付けた変動値データテーブルが、予め記憶される。
【０１３９】
変動値データテーブル１３００は、すべてのグループについて、記憶部２０６に予め記憶される。室内機１２０がＬ個（Ｌは２以上の整数）のグループに分かれる場合、それぞれのグループに対応したＬ個の変動値データテーブルが記憶部２０６に予め記憶される。
【０１４０】
なお、図１３に示す変動値データテーブル１３００には、現在の室内温度と目標温度との差に対応付けて変動値が記憶されているが、差の代わりに、グループの温度に対応付けて変動値を記憶する複数の変動値データテーブル１３００が記憶部２０６に記憶されてもよい。例えば、測定された温度が摂氏２５度であって、且つ、第１グループ３０１の目標温度が変更された場合における、各グループの温度の変動値を対応付けた第１の変動値データテーブル、測定された温度が摂氏２６度であって、且つ、第１グループ３０１の目標温度が変更された場合における、各グループの温度の変動値を対応付けた第２の変動値データテーブル、といったように、測定された温度に対応する複数の変動値データテーブル１３００を記憶部２０６が予め記憶してもよい。制御部２０７は、測定された現在の室内温度に対応する変動値データテーブル１３００の中から、変動値を取得してもよい。
【０１４１】
また、グループの現在の室内温度と目標温度との差ごとに異なる変動値を記憶する複数の変動値データテーブル１３００が記憶部２０６に記憶されてもよい。例えば、測定された温度と目標温度との差が「１度」であって、且つ、第１グループ３０１の目標温度が変更された場合における、各グループの温度の変動値を対応付けた第１の変動値データテーブル、測定された温度と目標温度との差が「２度」であって、且つ、第１グループ３０１の目標温度が変更された場合における、各グループの温度の変動値を対応付けた第２の変動値データテーブル、といったように、温度の差の大きさに対応する複数の変動値データテーブル１３００を記憶部２０６が予め記憶し、制御部２０７は、測定された現在の温度と目標温度との差に対応する変動値データテーブル１３００の中から、温度の予測値を取得してもよい。
【０１４２】
ところで、複数のグループの目標温度が一緒に変更される可能性がある。制御部２０７は、第１グループ３０１の目標温度の変更による第１グループ３０１の温度の変動値と、他のグループ３０２〜３０６の目標温度の変更による第１グループ３０１の温度の変動値とを加算する。
【０１４３】
すなわち、制御部２０７は、第１グループ３０１の目標温度の変更量に対応する第１グループ３０１の温度の変動値ΔＸ１１と、第２グループ３０２の目標温度の変更量に対応する第１グループ３０１の温度の変動値ΔＸ２１と、第３グループ３０３の目標温度の変更量に対応する第１グループ３０１の温度の変動値ΔＸ３１と、第４グループ３０１の目標温度の変更量に対応する第１グループ３０１の温度の変動値ΔＸ４１と、第５グループ３０５の目標温度の変更量に対応する第１グループ３０１の温度の変動値ΔＸ５１と、第６グループ３０６の目標温度の変更量に対応する第１グループ３０１の温度の変動値ΔＸ６１と、を取得し、それらの和（＝ΔＸ１１＋ΔＸ２１＋ΔＸ３１＋ΔＸ４１＋ΔＸ５１＋ΔＸ６１）を計算する。そして、制御部２０７は、得られた和を現在の温度に加算した値を、第１グループ３０１の予測温度値とする。
【０１４４】
同様に、制御部２０７は、第２グループ３０２の予測温度値、第３グループ３０３の予測温度値、第４グループ３０４の予測温度値、第５グループ３０５の予測温度値、第６グループ３０６の予測温度値をそれぞれ計算する。
【０１４５】
そして、制御部２０７は、図１４に示すように、計算された予測温度値をディスプレイ２５１に表示する。
【０１４６】
目標温度の変更を適用する旨の指示をユーザから受け付けるボタン１４１０が操作されると、制御部２０７は、室内機１２０の目標温度を変更して運転させる。目標温度の変更を適用しない旨の指示をユーザから受け付けるボタン１４２０が操作されると、制御部２０７は、室内機１２０の目標温度を変更せずに、図１０に示す管理画面に戻り、元の目標温度を維持したまま運転を続けさせる。
【０１４７】
（空調のシミュレーション、その２）
次に、省エネルギーモードに設定する時間の長さが変更された場合における空調のシミュレーションについて説明する。
【０１４８】
あるグループの省エネルギーモードに設定される時間の長さ（以下、継続時間長という。）が変更されると、制御部２０７は、記憶部２０６に記憶されている変動値データテーブル１５００の中から、各グループの温度変化を示すデータを取得する。
【０１４９】
例えば、図１５（ａ）に示すように、記憶部２０６には、通常モードにおける目標温度と省エネルギーモードにおける目標温度との差が「２度」の場合における、各グループの温度の変動値の時間変化を格納する変動値データテーブル１５００Ａが予め記憶される。この変動値は、すべての室内機１２０に同じ目標温度が設定されてから十分な時間が経過した均衡状態において、第１グループ３０１の目標温度が変更された場合に変動する温度の時間変化の実測値である。例えば、冷房時に第１グループ３０１の目標温度が２度高められた場合、第１グループ３０１の温度が、１分後には０．１度上昇し、２分後には０．２度上昇し、３分後には０．３度上昇し、４分後には０．４度上昇し、５分後には０．５度上昇し、６分後には０．６度上昇することを示している。
【０１５０】
また、記憶部２０６には、図１５（ｂ）に示すように、第１グループ３０１の目標温度が「３度」上げられた場合における、各グループの温度の変動値の時間変化を格納する変動値データテーブル１５００Ｂが予め記憶される。同様に、記憶部２０６には、第１グループ３０１の目標温度が「１度」上げられた場合における、各グループの温度の変動値の時間変化を格納する変動値データテーブル（図示せず）、第１グループ３０１の目標温度が「Ｘ度」（Ｘは実数）変更された場合における、各グループの温度の変動値の時間変化を格納する変動値データテーブル（図示せず）等が予め記憶される。
【０１５１】
記憶部２０６には、図１６に示すように、第１グループ３０１の目標温度が２度上げられた場合の変動値データテーブル１５００Ａと、第１グループ３０１の目標温度が３度上げられた場合の変動値データテーブル１５００Ｂだけでなく、４度以上上げられた場合、もしくは、変化しない場合、もしくは、温度が下げられた場合の変動値データテーブルが記憶される。
【０１５２】
本実施形態では、目標温度の変更が１度単位で行われることを前提にしているが、指定可能な温度は、０．５度単位等、任意である。
【０１５３】
また、記憶部２０６には、第１グループ３０１以外の他のグループに対応する変動値データテーブル１５００も予め記憶される。記憶部２０６には、第２グループ３０２の目標温度がＸ度変更された場合における、各グループの温度の変動値を対応付けた複数の変動値データテーブルと、第３グループ３０３の目標温度がＸ度変更された場合における、各グループの温度の変動値を対応付けた複数の変動値データテーブルと、第４グループ３０４の目標温度がＸ度変更された場合における、各グループの温度の変動値を対応付けた複数の変動値データテーブルと、第５グループ３０５の目標温度がＸ度変更された場合における、各グループの温度の変動値を対応付けた複数の変動値データテーブルと、第６グループ３０６の目標温度がＸ度変更された場合における、各グループの温度の変動値を対応付けた複数の変動値データテーブルとが、予め記憶される。
【０１５４】
制御部２０７は、第１グループ３０１の継続時間長が変更されると、第１グループ３０１の目標温度の変更量（つまり省エネルギーモードに設定されることにより増加又は減少される温度の大きさ）に対応する各グループの温度の変動値を取得する。
【０１５５】
第１グループ３０１だけでなく、複数のグループの継続時間長が変更される可能性がある。制御部２０７は、各グループの継続時間長の変更による変動値を加算する。
【０１５６】
すなわち、制御部２０７は、第１グループ３０１の目標温度の変更量に対応する第１グループ３０１の温度の１分後における変動値ΔＹ１１と、第２グループ３０２の目標温度の変更量に対応する第１グループ３０１の温度の１分後における変動値ΔＹ２１と、第３グループ３０３の目標温度の変更量に対応する第１グループ３０１の温度の１分後における変動値ΔＹ３１と、第４グループ３０４の目標温度の変更量に対応する第１グループ３０１の温度の１分後における変動値ΔＹ４１と、第５グループ３０５の目標温度の変更量に対応する第１グループ３０１の温度の１分後における変動値ΔＹ５１と、第６グループ３０６の目標温度の変更量に対応する第１グループ３０１の温度の１分後における変動値ΔＹ６１とを取得し、それらの和（＝ΔＹ１１＋ΔＹ２１＋ΔＹ３１＋ΔＹ４１＋ΔＹ５１＋ΔＹ６１）を計算する。そして、制御部２０７は、得られた和に現在の温度を加算した値を、第１グループ３０１の１分後の予測温度値とする。
【０１５７】
同様にして、制御部２０７は、第１グループ３０１の２分後の予測温度値、３分後の予測温度値、Ｙ分後（Ｙは１以上の実数）の予測温度値を計算する。こうして制御部２０７は、第１グループ３０１の温度の経時変化を予測する。
【０１５８】
また、同様にして、制御部２０７は、第２グループ３０２の温度の経時変化と、第３グループ３０３の温度の経時変化と、第４グループ３０４の温度の経時変化と、第５グループ３０５の温度の経時変化と、第６グループ３０６の温度の経時変化とを予測する。
【０１５９】
そして、制御部２０７は、図１７に示すように、計算された経時変化を表すグラフをディスプレイ２５１に表示する。
【０１６０】
制御部２０７は、どのグループがいつ省エネルギーモードに設定されているかを表す文字列あるいは画像を表示することが望ましい。
【０１６１】
制御部２０７は、省エネルギーモードに設定される時間が変更された期間を表す文字列あるいは画像を表示することが望ましい。
【０１６２】
継続時間長の変更を適用する旨の指示をユーザから受け付けるボタン１７１０が操作されると、制御部２０７は、室内機１２０を省エネルギーモードに設定する時間の長さを変更して運転させる。継続時間長の変更を適用しない旨の指示をユーザから受け付けるボタン１７２０が操作されると、制御部２０７は、室内機１２０を省エネルギーモードに設定する時間の長さを変更せずに、図１０に示す管理画面に戻り、元の設定を維持したまま運転を続けさせる。
【０１６３】
ここでは、制御部２０７は、冷房モードにおける温度変化を予測したが、暖房、除湿、送風の各モードの場合も同様に温度変化を予測することができる。記憶部２０６は、冷房モードだけでなく、暖房、除湿、送風の各モードにおける変動値データテーブル１５００を予め記憶し、制御部２０７は、運転モードに対応する変動値データテーブル１５００に基づいて、温度変化を予測する。
【０１６４】
（空調のシミュレーション、その３）
次に、省エネルギーモードに設定する順番を変更した場合における空調のシミュレーションについて説明する。基本的には、省エネルギーモードに設定する時間の長さを変更した場合と同じ手順でシミュレーションを行うことができる。
【０１６５】
省エネルギーモードに設定される順番が変更されると、制御部２０７は、記憶部２０６に記憶されている変動値データテーブル１５００の中から、各グループの温度変化を示すデータを取得する。記憶部２０６には、図１５（ａ），図１５（ｂ），図１６に示したように、グループ毎、目標温度の変更量毎、運転モード毎に、複数の変動値データテーブル１５００が予め記憶されている。
【０１６６】
制御部２０７は、第１グループ３０１を省エネルギーモードに設定する順番（以下、設定順という。）が変更されると、第１グループ３０１の目標温度の変更量（つまり省エネルギーモードに設定されることにより増加又は減少される温度の大きさ）に対応する各グループの温度の変動値を取得する。
【０１６７】
制御部２０７は、第１グループ３０１の温度変化を予測するために、各グループの継続時間長の変更による変動値を加算する。
【０１６８】
すなわち、制御部２０７は、第１グループ３０１の目標温度の変更量に対応する第１グループ３０１の温度の１分後における変動値ΔＹ１１と、第２グループ３０２の目標温度の変更量に対応する第１グループ３０１の温度の１分後における変動値ΔＹ２１と、第３グループ３０３の目標温度の変更量に対応する第１グループ３０１の温度の１分後における変動値ΔＹ３１と、第４グループ３０４の目標温度の変更量に対応する第１グループ３０１の温度の１分後における変動値ΔＹ４１と、第５グループ３０５の目標温度の変更量に対応する第１グループ３０１の温度の１分後における変動値ΔＹ５１と、第６グループ３０６の目標温度の変更量に対応する第１グループ３０１の温度の１分後における変動値ΔＹ６１とを取得し、それらの和（＝ΔＹ１１＋ΔＹ２１＋ΔＹ３１＋ΔＹ４１＋ΔＹ５１＋ΔＹ６１）を計算する。そして、制御部２０７は、得られた和に現在の温度を加算した値を、第１グループ３０１の１分後の予測温度値とする。
【０１６９】
同様にして、制御部２０７は、第１グループ３０１の２分後の予測温度値、３分後の予測温度値、Ｙ分後（Ｙは１以上の実数）の予測温度値を計算する。こうして、制御部２０７は、第１グループ３０１の温度の経時変化を予測する。
【０１７０】
また、同様にして、制御部２０７は、第２グループ３０２の温度の経時変化と、第３グループ３０３の温度の経時変化と、第４グループ３０４の温度の経時変化と、第５グループ３０５の温度の経時変化と、第６グループ３０６の温度の経時変化とを予測する。
【０１７１】
そして、制御部２０７は、図１８に示すように、計算された経時変化を表すグラフをディスプレイ２５１に表示する。
【０１７２】
図１８では、変更前の省エネルギーモードに設定する順番が、一番目に第１グループ３０１、二番目に第６グループ３０６、三番目に第２グループ３０２、四番目に第５グループ３０５、五番目に第３グループ３０３、六番目に第４グループ３０４であったものが、二番目と六番目が入れ替わった場合の例を示している。
【０１７３】
制御部２０７は、どのグループがいつ省エネルギーモードに設定されているかを表す文字列あるいは画像を表示することが望ましい。
【０１７４】
制御部２０７は、順番がどのように変わったのかを表す文字列あるいは画像を表示することが望ましい。
【０１７５】
設定順の変更を適用する旨の指示をユーザから受け付けるボタン１８１０が操作されると、制御部２０７は、室内機１２０を省エネルギーモードに設定する順番を変更して運転させる。設定順の変更を適用しない旨の指示をユーザから受け付けるボタン１８２０が操作されると、制御部２０７は、室内機１２０を省エネルギーモードに設定する順番を変更せずに、図１０に示す管理画面に戻り、元の設定を維持したまま運転を続けさせる。
【０１７６】
ここでは、制御部２０７は、冷房モードにおける温度変化を予測したが、暖房、除湿、送風の各モードの場合も同様に温度変化を予測することができる。記憶部２０６は、冷房モードだけでなく、暖房、除湿、送風の各モードにおける変動値データテーブル１５００を予め記憶し、制御部２０７は、運転モードに対応する変動値データテーブル１５００に基づいて、温度変化を予測する。
【０１７７】
次に、空調管理システム１の機能的な構成について、図１９を用いて説明する。
【０１７８】
取得部１９０１は、部屋の中に設置される複数の室内機１２０によって測定された室内温度と、複数の室内機１２０のそれぞれの目標温度とを取得する。制御部２０７と通信部２０１が協働して、取得部１９０１として機能する。
【０１７９】
例えば、室内機１２０は、室内の温度を常に測定し、空調管理サーバ１００から現在の温度を送信するように要求されると、最新の測定値を空調管理サーバ１００へ送信する。空調管理サーバ１００の制御部２０７は、要求に対する応答により、室内温度を取得する。
【０１８０】
あるいは、室内機１２０は、室内の温度を常に測定し、空調管理サーバ１００からの要求の有無にかかわらず、定期的なタイミングで、最新の測定値を空調管理サーバ１００へ送信してもよい。空調管理サーバ１００の制御部２０７は、室内機１２０から自動的に送られる室内温度を受信し、取得してもよい。
【０１８１】
また、空調管理サーバ１００の制御部２０７は、記憶部２０６に記憶されているローテーション情報から、もしくは、ユーザからの入力により、室内機１２０に設定される目標温度を取得する。
【０１８２】
計算部１９０２は、変動値データテーブル１３００，１５００に基づいて、部屋の空調に影響を与える複数の影響因子のそれぞれの影響度を計算する。制御部２０７が計算部１９０２として機能する。
【０１８３】
動作モード変更部１９０３は、計算された影響度に基づいて、部屋の中に設置される複数の室内機１２０から一の室内機１２０をローテーションで選択し、複数の室内機１２０のそれぞれを、通常モード（第１動作モード）から、通常モードより消費電力量が少ない省エネルギーモード（第２動作モード）へ、もしくは、省エネルギーモードから通常モードへ、変更する。
【０１８４】
また、動作モード変更部１９０３は、計算された影響度に基づいて、複数の室内機１２０のそれぞれを省エネルギーモードに設定する時間の長さと、複数の室内機１２０のそれぞれを省エネルギーモードに設定する順番とを決定する。すなわち、動作モード変更部１９０３は、計算された影響度に基づいて、ローテーションと、複数の室内機のそれぞれの第２動作モードでの動作時間とを決定する。制御部２０７が、動作モード変更部１９０３として機能する。
【０１８５】
入力受付部１９０４は、室内機１２０を省エネルギーモードに設定する時間の長さと、室内機１２０を省エネルギーモードに設定する順番（ローテーション）と、複数の室内機１２０のそれぞれの目標温度と、のうちの少なくともいずれか一つを変更する指示の入力を受け付ける。指示には、目標温度を変更する第１種の変更指示と、省エネルギーモードに設定する時間の長さを変更する第２種の変更指示と、省エネルギーモードに設定する順番を変更する第３種の変更指示とがある。制御部２０７と入力部２０５が協働して、入力受付部１９０４として機能する。
【０１８６】
変動値記憶部１９０５は、複数の室内機１２０のうちの一の室内機１２０を通常モードから省エネルギーモードに変更した場合における、複数の室内機１２０のそれぞれによって測定される温度の変動値を格納する変動値データテーブル１３００，１５００を予め記憶する。記憶部２０６が、変動値記憶部１９０５として機能する。
【０１８７】
予測部１９０６は、第１種の変更指示又は第２種の変更指示又は第３種の変更指示が受け付けられると、受け付けた変更指示による変更を適用した場合における部屋の中の温度の時間変化を予測（シミュレーション）する。制御部２０７が、予測部１９０６として機能する。
【０１８８】
表示部１９０７は、予測された温度の時間変化をディスプレイ２５１に表示する。制御部２０７と画像処理部２０２が協働して、表示部１９０７として機能する。
【０１８９】
次に、空調管理システム１によって実行される空調処理の流れについて説明する。本実施形態では、部屋の中に複数の室内機１２０が固定して設置されており、室内機１２０のそれぞれは、一つのグループに属している。一つの室内機１２０が同時に複数のグループに属することはない。
【０１９０】
まず、空調管理サーバ１００が室内機１２０のいずれかを省エネルギーモードに設定しつつ、室内の温度をなるべく均一に保つように制御する空調処理について、図２０のフローチャートを用いて説明する。
【０１９１】
まず、制御部２０７は、各室内機１２０によって測定された現在の室内温度と、各室内機１２０の目標温度とを取得する（ステップＳ２００１）。
【０１９２】
例えば、制御部２０７は、測定された室内温度を送信することを各室内機１２０に要求し、各室内機１２０は、測定した室内温度を空調管理サーバ１００へ送信する。制御部２０７は、測定された室内温度を各室内機１２０から受信し、記憶部２０６に記憶する。また、制御部２０７は、ユーザから目標温度の入力を受け付けて、各室内機１２０の目標温度を取得し、記憶部２０６に記憶する。
【０１９３】
制御部２０７は、すべての室内機１２０の運転を通常モードにて開始する（ステップＳ２００２）。
【０１９４】
本実施形態では、制御部２０７は、移行条件が満たされる前は、すべての室内機１２０を通常モードで運転させ、移行条件が満たされた後、省エネルギーモードのローテーションを開始する。ただし、制御部２０７は、移行条件が満たされたか否かにかかわらず、最初から省エネルギーモードのローテーションを開始してもよい。
【０１９５】
制御部２０７は、予め定められる移行条件が満たされたか否かを判別する（ステップＳ２００３）。
【０１９６】
移行条件とは、具体的には「空調処理の開始後、初めて、室内の温度が目標温度近傍に近づいたこと」である。制御部２０７は、室内の温度と目標温度との差が、空調処理の開始後初めて、予め定められるしきい値以内になると、移行条件が満たされたと判別する。例えば、冷房時の目標温度が摂氏２５度であり、空調処理の開始時点での室内の温度が摂氏３０度であって、しきい値を１度とすると、室内の温度が初めて摂氏２６度以下に達したときに、移行条件が満たされる。
【０１９７】
移行条件において判別対象となる室内の温度は、典型的には、各室内機１２０によって測定された温度の平均値である。
【０１９８】
移行条件は、「空調処理の開始後、通常モードを継続した時間長が、予め決められた時間長に達したこと」でもよい。この場合、制御部２０７は、空調処理を開始してから予め決められた時間長（例えば３０分）が経過すると、移行条件が満たされたと判別し、省エネルギーモードのローテーションを開始する。
【０１９９】
移行条件は、「ユーザから省エネルギーモードのローテーションを開始する指示を受け付けたこと」でもよい。この場合、制御部２０７は、空調処理を開始してからユーザから省エネルギーモードのローテーションを開始する指示を受け付けると、移行条件が満たされたと判別し、省エネルギーモードのローテーションを開始する。
【０２００】
移行条件は上述したものに限定されない。例えば、「空調処理の開始後、初めて、室内の温度が目標温度近傍に近づき、且つ、空調処理の開始後、通常モードを継続した時間長が、予め決められた時間長になったこと」というように、複数の条件を組み合わせてもよい。
【０２０１】
移行条件が満たされない間（ステップＳ２００３；ＮＯ）、制御部２０７は、通常モードで室内機１２０を運転させる。
【０２０２】
移行条件が満たされると（ステップＳ２００３；ＹＥＳ）、制御部２０７は、例えば窓３７０の配置、扉３８０の配置、電子機器３９０の配置等、影響因子のそれぞれについて、空調に与える影響度を計算する（ステップＳ２００４）。
【０２０３】
具体的には、制御部２０７は、上述したように、室内機１２０が属するグループごとに、窓３７０の開閉等による空調への影響度を示す重みＧＷと、扉３８０の開閉等による空調への影響度を示す重みＧＤと、電子機器３９０が稼働することによる発熱による空調への影響度を示す重みＧＥとを計算する。
【０２０４】
制御部２０７は、計算した空調に与える影響度に基づいて、それぞれのグループを省エネルギーモードに設定する時間の長さを決定する（ステップＳ２００５）。
【０２０５】
次に、制御部２０７は、すべてのグループについて、グループを省エネルギーモードに設定した際に周囲に与える影響度を計算する（ステップＳ２００６）。
【０２０６】
具体的には、制御部２０７は、上述したように、図５に示す予め行われた測定テストによって得られる温度変化の実測値に基づいて、動作モードの変更前後における室温の変化量を予測し、室温の変化量が大きいほど、動作モードの変更による影響が大きいと予測する。
【０２０７】
制御部２０７は、計算した影響度に基づいて、省エネルギーモードに設定する順番を決定する（ステップＳ２００７）。
【０２０８】
具体的には、制御部２０７は、一番目に省エネルギーモードに設定するグループを決定した後、まだ省エネルギーモードに設定されたことが無く、且つ、一番目の省エネルギーモードでの運転による温度の変化量が最も小さいと予想されるグループを、二番目に省エネルギーモードに設定するグループに決定する。同様にして、制御部２０７は、三番目以降の順番を決定する。
【０２０９】
制御部２０７は、ステップＳ２００５で決定した時間の長さと、ステップＳ２００７で決定した順番とに従って、室内機１２０を省エネルギーモードに設定する（ステップＳ２００８）。制御部２０７は、省エネルギーモードへの変更をローテーションして、空調を制御する。
【０２１０】
制御部２０７は、順番が一番目のグループを省エネルギーモードに設定した時刻から、ステップＳ２００５で決定した時間が経過すると、順番が一番目のグループを通常モードに戻し、順番が二番目のグループを省エネルギーモードに設定する。以降、同様にして、制御部２０７は、省エネルギーモードに設定する室内機１２０を交代する。順番が最後のグループが省エネルギーモードに設定された後は、元に戻って、再び、順番が一番目のグループが省エネルギーモードに設定される。
【０２１１】
そして、制御部２０７は、予め定められる停止条件が満たされたか否かを判別する（ステップＳ２００９）。
【０２１２】
例えば、制御部２０７は、空調を停止する指示をユーザから受け付けた場合に、停止条件が満たされたと判別し、それ以外の場合に、停止条件が満たされないと判別する。
【０２１３】
停止条件が満たされないと判別した場合（ステップＳ２００９；ＮＯ）、制御部２０７は、ステップＳ２００５で決定した時間の長さとステップＳ２００７で決定した順番とに従って室内機１２０を省エネルギーモードに設定しながら空調を制御する。停止条件が満たされたと判別した場合（ステップＳ２００９；ＹＥＳ）、制御部２０７は、空調処理を終了する。
【０２１４】
次に、目標温度、及び／又は、省エネルギーモードに設定する時間の長さ、及び／又は、省エネルギーモードに設定する順番をユーザからの指示に基づいて変更し、変更後の空調の状態をシミュレーションする空調処理について、図２１のフローチャートを用いて説明する。
【０２１５】
制御部２０７は、図１０、図１１、図１２に示す管理画面を表示し、ユーザから、目標温度を変更する第１種の変更指示と、省エネルギーモードに設定する時間の長さを変更する第２種の変更指示と、省エネルギーモードに設定する順番を変更する第３種の変更指示とを受け付ける。
【０２１６】
本実施形態では、上述した省エネルギーモードに設定しつつ室内の温度をなるべく均一に保つように制御する空調処理を実行中であっても、ユーザからの変更指示があった場合には、ユーザからの変更指示を優先する。制御部２０７は、室内の温度が均一に保たれるか否かにかかわらず、ユーザからの変更指示に従って空調を制御する。
【０２１７】
制御部２０７は、ユーザから、第１種の変更指示、又は、第２種の変更指示、又は、第３種の変更指示のいずれかがあったか否かを判別する（ステップＳ２１０１）。
【０２１８】
いずれの変更指示もない場合（ステップＳ２１０１；ＮＯ）、制御部２０７は、後述するステップＳ２１０５の処理に移る。いずれかの変更指示があった場合（ステップＳ２１０１；ＹＥＳ）、制御部２０７は、変更後の室温の変化をシミュレーションする（ステップＳ２１０２）。
【０２１９】
具体的には、制御部２０７は、第１種の変更指示を受け付けた場合には上述の「空調のシミュレーション、その１」を、第２種の変更指示を受け付けた場合には上述の「空調のシミュレーション、その２」を、第３種の変更指示を受け付けた場合には上述の「空調のシミュレーション、その３」を、実行する。
【０２２０】
制御部２０７は、例えば図１４，図１７，図１８に示すシミュレーションの結果をディスプレイ２５１に表示する。
【０２２１】
制御部２０７は、変更指示による変更内容を適用するか否かを判別する（ステップＳ２１０３）。
【０２２２】
ユーザは、表示されたシミュレーション結果を見て、変更内容を適用するか否かを決める。制御部２０７は、ボタン１４１０，１４２０，１７１０，１７２０，１８１０，１８２０が操作されたか否かに基づいて、変更内容を適用するか否かを判別する。
【０２２３】
変更内容を適用しないと判別した場合（ステップＳ２１０３；ＮＯ）、制御部２０７は、後述するステップＳ２１０５の処理に移る。一方、変更内容を適用すると判別した場合（ステップＳ２１０３；ＹＥＳ）、制御部２０７は、空調の設定を変更する（ステップＳ２１０４）。すなわち、制御部２０７は、ユーザから受け付けた第１種の変更指示又は第２種の変更指示又は第３種の変更指示に基づいて、目標温度、又は、省エネルギーモードに設定する時間の長さ、又は、省エネルギーモードに設定する順番を変更する。
【０２２４】
制御部２０７は、停止条件が満たされたか否かを判別する（ステップＳ２１０５）。例えば、制御部２０７は、空調を停止する指示をユーザから受け付けた場合に、停止条件が満たされたと判別し、それ以外の場合に、停止条件が満たされないと判別する。
【０２２５】
停止条件が満たされないと判別した場合（ステップＳ２１０５；ＮＯ）、制御部２０７は、ステップＳ２１０１の処理に戻る。停止条件が満たされたと判別した場合（ステップＳ２１０５；ＹＥＳ）、制御部２０７は、空調処理を終了する。
【０２２６】
本実施形態によれば、ユーザは、通常モードと省エネルギーモードによる制御の内容を一目で簡単に把握することができる。また、ユーザは、空調の設定を変更した場合に予想される室内の温度変化の見込みを、事前にシミュレーションにより知ることができる。ユーザは、シミュレーション結果を見て、所望の設定を簡単に探すことができ、空調設備の運転計画を容易に作成することができ、所望の設定を簡単に実現することができる。本実施形態によれば、空調管理システム１は、制御内容をユーザに分かりやすく提示しつつ、ユーザにとって快適な環境を実現することができる。
【０２２７】
本発明は、上述した実施形態に限定されず、種々の変形及び応用が可能である。また、上述した実施形態の各構成要素を自由に組み合わせることも可能である。
【０２２８】
上記実施形態では、制御部２０７は、室内機１２０の動作モードを変更しているが、室内機１２０だけでなく、室外機１４０の動作モードも変更してもよい。
【０２２９】
上記実施形態では、室内機１２０をグループ分けし、室内機１２０をグループ単位で制御しているが、室内機１２０だけでなく、室外機１４０もグループ分けし、室内機１２０と室外機１４０をグループ単位で制御してもよい。
【０２３０】
上記実施形態では、すべての室内機１２０は一つの同じ部屋の中に設置されているが、二つ以上の部屋の中に分散して設置されてもよい。空調管理システム１は、部屋ごとに、室内機１２０を省エネルギーモードに設定する時間の長さと、室内機１２０を省エネルギーモードに設定する順番とを決定し、部屋ごとに、空調を制御することができる。
【０２３１】
例えば、空調管理システム１は、複数のフロアがあるビルディングにおいて、フロアごとに、室内機１２０を省エネルギーモードに設定する時間の長さと、室内機１２０を省エネルギーモードに設定する順番とを決定し、フロアごとに、空調を制御することができる。
【０２３２】
制御部２０７は、流体力学等に基づくより精密な計算式を用いて、温度分布や室内の空気の流れをシミュレーションしてもよい。
【０２３３】
上記の空調管理システム１の全部又は一部としてコンピュータを動作させるためのプログラムを、メモリカード、ＣＤ−ＲＯＭ、ＤＶＤ、ＭＯ（Magneto Optical disk）などのコンピュータが読み取り可能な記録媒体に格納して配布し、これを別のコンピュータにインストールし、上述の手段として動作させ、あるいは、上述の工程を実行させてもよい。
【０２３４】
さらに、インターネット上のサーバ装置が有するディスク装置等にプログラムを格納しておき、例えば、搬送波に重畳させて、コンピュータにダウンロード等するものとしてもよい。
【０２３５】
以上のように、上記各実施形態によれば、制御内容をユーザに分かりやすく提示しつつ、ユーザにとって快適な環境を実現することができる。
【符号の説明】
【０２３６】
１  空調管理システム、１００  空調管理サーバ、１２０  室内機、１４０  室外機、２０１  通信部、２０２  画像処理部、２０３  音声処理部、２０４  Ｉ／Ｏ部、２０５  入力部、２０６  記憶部、２０７  制御部、２５１  ディスプレイ、２５２  スピーカ、１３００  変動値データテーブル、１５００  変動値データテーブル、１９０１  取得部、１９０２  計算部、１９０３  動作モード変更部、１９０４  入力受付部、１９０５  変動値記憶部、１９０６  予測部、１９０７  表示部
【図１】
2016011779.tif 000003
【図２】
2016011779.tif 000004
【図３】
2016011779.tif 000005
【図４】
2016011779.tif 000006
【図５】
2016011779.tif 000007
【図６】
2016011779.tif 000008
【図７】
2016011779.tif 000009
【図８】
2016011779.tif 000010
【図９】
2016011779.tif 000011
【図１０】
2016011779.tif 000012
【図１１】
2016011779.tif 000013
【図１２】
2016011779.tif 000014
【図１３】
2016011779.tif 000015
【図１４】
2016011779.tif 000016
【図１５】
2016011779.tif 000017
【図１６】
2016011779.tif 000018
【図１７】
2016011779.tif 000019
【図１８】
2016011779.tif 000020
【図１９】
2016011779.tif 000021
【図２０】
2016011779.tif 000022
【図２１】
2016011779.tif 000023